(57)【要約】      （修正有）【課題】効率が高く、衛生的で、便利に操作できるペット給水タンクの詰まり防止給水ポンプを提供する。【解決手段】ペット給水タンクの詰まり防止給水ポンプは、給水ポンプ本体３、係合スロット１、フィルター２を含み、係合スロットは係合スロットの一端に設けられたノッチを介して給水ポンプ本体に接続され、フィルターが係合スロットに設けられたＵ字形の溝を介して係合スロットにしっかりと接続され、フィルターはフィルターを通過するすべての水を濾過でき、水中の不純物をフィルターに濾過し、効率が高く、衛生的で、便利に操作できる。【選択図】図１
0003227590.tif 000002
【実用新案登録請求の範囲】
【請求項１】
水中の不純物を予備濾過し、ノッチが開設される係合スロットと、
前記ノッチを介してポンプ本体の水流路に配置でき、前記係合スロットからポンプ本体内入る水中の不純物を濾過するフィルターと、
前記係合スロットが係合され、給水ポンプ動作室を形成する給水ポンプ本体と、を含むことを特徴とするペット給水タンクの詰まり防止給水ポンプ。
【請求項２】
前記フィルターは前記ノッチ内に配置されることを特徴とする請求項１に記載のペット給水タンクの詰まり防止給水ポンプ。
【請求項３】
前記係合スロットの前記給水ポンプ本体から離れる側にグリッド構造を有することを特徴とする請求項１に記載のペット給水タンクの詰まり防止給水ポンプ。
【請求項４】
前記ノッチはＵ字形であることを特徴とする請求項１に記載のペット給水タンクの詰まり防止給水ポンプ。
【請求項５】
前記フィルターはスポンジであることを特徴とする請求項１に記載のペット給水タンクの詰まり防止給水ポンプ。
【請求項６】
前記フィルターは前記ノッチの内壁に密着されることを特徴とする請求項１に記載のペット給水タンクの詰まり防止給水ポンプ。
【請求項７】
前記係合スロットの前記給水ポンプ本体に近接する一端にノッチが設けられることを特徴とする請求項１に記載のペット給水タンクの詰まり防止給水ポンプ。
【請求項８】
前記フィルターの形状が前記ノッチの形状に適合することを特徴とする請求項１に記載のペット給水タンクの詰まり防止給水ポンプ。
【請求項９】
前記詰まり防止給水ポンプのファンブレードの端部の中心に防汚構造が設けられ、前記防汚構造が複数のファンブレードの間の中央の隙間に充填されることを特徴とする請求項１から８のいずれか１項に記載のペット給水タンクの詰まり防止給水ポンプ。
【請求項１０】
前記防汚構造は前記ファンブレードと一体的に成形されることを特徴とする請求項９に記載のペット給水タンクの詰まり防止給水ポンプ。
【考案の詳細な説明】
【技術分野】
【０００１】
本考案は、ペット用品の技術分野に属し、特にペット給水タンクの詰まり防止給水ポンプに関する。
【背景技術】
【０００２】
ペットを家で飼う人が増え、ペットの飲用装置が必要であり、本装置はペット飲用器具の詰まり防止給水ポンプであり、従来技術の給水ポンプは濾過技術が比較的貧弱で、給水ポンプ内部が詰まったり、給水ポンプのファンブレード上に異物が絡まったりしやすく、作動効率や作動品質に影響を与える。
【０００３】
本出願人は、従来技術には少なくとも以下の技術的な問題があることを発見した。
【０００４】
従来技術の給水ポンプ濾過システムは、給水ポンプの外側にグリッド構造を持っているが、グリッド構造の中央の隙間が比較的大きく、濾過効果が比較的貧弱で、全体的な濾過効果が低く、水中の小さな不純物およびペットの髪などの不純物を濾過できず、水質に悪影響を与えるだけでなく、異物が給水ポンプに入ると給水ポンプの詰まりが発生し、給水ポンプの動作効率を低下させる。
【考案の概要】
【考案が解決しようとする課題】
【０００５】
本考案の目的は、ペット給水タンクの詰まり防止給水ポンプを提供し、従来技術における給水ポンプ詰まりの技術的な問題を解決した。
本考案によって提供される様々な技術的解決策のうちの好ましい技術的解決策によって生み出され得る技術的効果を、以下に詳細に説明する。
【課題を解決するための手段】
【０００６】
上記の目的を達成するために、本考案は以下の技術的解決策を提供する。
【０００７】
本考案によって提供されるペット給水タンクの詰まり防止給水ポンプは、
水中の不純物を粗く濾過し、ノッチが開設される係合スロットと、
前記ノッチを介してポンプ本体の水流路に配置でき、前記係合スロットからポンプ本体内入る水中の不純物を濾過するフィルターと、
前記係合スロットが係合され、給水ポンプ動作室を形成する給水ポンプ本体と、を含む。
【０００８】
上記の解決策によれば、係合スロットおよびフィルターの設置によって、水が給水ポンプに入る前に係合スロットを介して予備濾過されてフィルターで本濾過される。
【０００９】
選択可能に、前記フィルターが前記ノッチ内に設けられ、前記フィルターが前記ノッチ内壁に密着される。
【００１０】
上記の解決策によれば、水がフィルターの一面のみを通過でき、濾過効率が向上する。
【００１１】
選択可能に、前記係合スロットの前記給水ポンプ本体から離れる側にグリッド構造を有する。
【００１２】
上記の解決策によれば、係合スロットの遠位端にグリッド構造が設けられ、比較的大きい不純物を濾過することができる。
【００１３】
選択可能に、前記ノッチはＵ字形である。
【００１４】
上記の解決策によれば、Ｕ字形のノッチによりフィルターを簡単に着脱でき、便利で操作しやすい。
選択可能に、前記フィルターはスポンジである。
【００１５】
上記の解決策によれば、スポンジをフィルターとして使用し、スポンジの空洞が小さく、水中の不純物をより良好に濾過でき、同時にスポンジは優れた透水性を持っている。
【００１６】
選択可能に、前記係合スロットの前記給水ポンプ本体に近接する一端にノッチが設けられる。
【００１７】
上記の解決策によれば、ノッチの設置により、係合スロットを給水ポンプ本体とより良く合わせることができる。
【００１８】
選択可能に、前記フィルターの形状は前記ノッチの形状に適合する。
【００１９】
上記の解決策によれば、フィルターとノッチを精度よく密着させる。
【００２０】
選択可能に、前記給水ポンプのファンブレードの端部の中心に防汚構造が設けられ、前記防汚構造が複数のファンブレードの間の中央の隙間に充填される。
【００２１】
上記の解決策によれば、防汚構造が給水ポンプ本体のファンブレードの中心に設けられ、給水ポンプの動作中、内部に不純物を蓄積せず、二重詰まり防止の効果がある。
【００２２】
選択可能に、前記防汚構造は前記ファンブレードと一体的に成形される。
【００２３】
上記の解決策によれば、防汚構造がより良くファンブレードと密着され、より優れた防汚効果を達成することができる。
【考案の効果】
【００２４】
本考案によって提供されるペット給水タンクの詰まり防止給水ポンプは、以下の有益な効果を有する。
【００２５】
係合スロットおよびフィルターの設置により、水中の不純物をより良好に濾過でき、詰まり防止の役割を果たし、同時に給水ポンプファンブレードの中心の防汚装置も詰まり防止の役割を果たす。
【図面の簡単な説明】
【００２６】
本考案の実施例または従来技術中の技術的解決策をより明確に説明するために、以下では、実施例または従来技術の説明で使用される図面を簡単に説明するが、以下説明する図面は本考案のいくつかの実施例に過ぎず、当業者であれば創造的な労働をせずにこれらの図面に基づいて他の図面を得ることができるのは明らかである。
【図１】本考案のペット給水タンクの詰まり防止給水ポンプの全体構造図である。
【図２】本考案のペット給水タンクの詰まり防止給水ポンプの一部構造図である。
【図３】本考案のペット給水タンクの詰まり防止給水ポンプの給水ポンプ本体の一部構造概略図である。
【考案を実施するための形態】
【００２７】
本考案の目的、技術的解決策および利点をより明確にするために、本考案の技術的解決策を以下詳細に説明する。明らかに、説明される実施例は、本考案の一部の実施例に過ぎず、すべての実施例ではない。本考案の実施例に基づいて、創造的な労働をせずに当業者によって得られたすべての他の実施形態は、本考案の保護範囲に含まれる。
【００２８】
本考案は、ペット給水タンクの詰まり防止給水ポンプを提供する。
【００２９】
以下、図面を参照して本考案をさらに詳細に説明する。
【００３０】
図１に示すように、ペット給水タンクの詰まり防止給水ポンプは、
水中の不純物を予備濾過し、ノッチ４が開設される係合スロット１と、
前記ノッチ４を介してポンプ本体の水流路に配置でき、前記係合スロット１からポンプ本体内入る水中の不純物を濾過するフィルター２と、
前記係合スロット１が係合され、給水ポンプ動作室を形成する給水ポンプ本体３と、を含む。
【００３１】
係合スロット１およびフィルター２の設置により、水が給水ポンプに入る前に係合スロット１を介して予備濾過されてフィルター２で本濾過される。
【００３２】
選択可能な実施形態として、フィルター２がノッチ４内に設けられ、フィルター２がノッチ内壁に密着される。
【００３３】
このようにして、水がフィルター２の一面のみを通過し、濾過効率が向上する。
選択可能な実施形態として、係合スロット１の給水ポンプ本体３から離れる側にグリッド構造を有する。
係合スロット１の遠位端にグリッド構造が設けられ、比較的大きい不純物を濾過することができる。
図２に示すように、選択可能な実施形態として、ノッチ４はＵ字形である。
Ｕ字形のノッチ４により、フィルターを簡単に着脱でき、便利で操作しやすい。
【００３４】
選択可能な実施形態として、フィルター２はスポンジである。
【００３５】
スポンジをフィルター２として使用すると、スポンジ上の空洞が比較的小さく、水中の不純物をより良好に濾過でき、同時にスポンジは優れた透水性を持っている。
【００３６】
選択可能な実施形態として、係合スロット１の給水ポンプ本体３に近接する一端にノッチが設けられる。
【００３７】
係合スロットにノッチを設けることで、係合スロット１を給水ポンプ本体３とより良く合わせることができる。
【００３８】
選択可能な実施形態として、フィルター２の形状がノッチ４の形状に適合する。
【００３９】
フィルター２の形状およびノッチ４形状の適合により、フィルター２とノッチ４を精度よく密着させる。
【００４０】
図３に示すように、選択可能な実施形態として、給水ポンプファンブレードの端部の中心に防汚構造５が設けられ、防汚構造５が複数のファンブレードの間の中央の隙間に充填される。
【００４１】
防汚構造５を給水ポンプ本体３のファンブレード中心に設けることで、給水ポンプの動作中、内部に不純物を蓄積せず、詰まり防止の効果がある。
【００４２】
選択可能な実施形態として、防汚構造５がファンブレードと一体的に成形される。
【００４３】
防汚構造５がより良くファンブレードと密着され、より優れた防汚効果を達成することができる。
【００４４】
以上、本考案の具体的な実施形態を説明したが、本考案の保護範囲はこれらに限定されなく、本考案の技術範囲内で、当業者によって容易に想到した変更や置換は、すべて本考案の保護範囲に含まれる。したがって、本考案の保護範囲は実用新案登録請求の範囲によって示される。
【符号の説明】
【００４５】
１  係合スロット
２  フィルター
３  給水ポンプ本体
４  ノッチ
５  防汚構造
【図１】
0003227590.tif 000003
【図２】
0003227590.tif 000004
【図３】
0003227590.tif 000005